(57)【特許請求の範囲】
【請求項１】
ヒューズを挟持する一対の挟持部を有したヒューズプラーを前記一対の挟持部が共に取付面に接触する状態に保持するヒューズプラーの保持構造であって、
前記ヒューズプラーが前記取付面上に保持されたときに前記一対の挟持部によって挟持されて前記ヒューズプラーを前記取付面上に位置決めすると共に、前記取付面上に立設され前記ヒューズプラーを着脱方向に案内する位置決め案内部と、前記位置決め案内部に連設され前記ヒューズプラーを上下方向に係合して前記ヒューズプラーの前記取付面からの浮き上がりを防止する浮き上がり防止部と、前記ヒューズプラーを前記位置決め案内部に沿わせて前記着脱方向前方に変位させると前記一対の挟持部の先端に設けられたヒューズ係止用の係止爪と係合すると共に、前記取付面上に立設され前記ヒューズプラーを前記着脱方向に固定する係止爪係合部と、前記取付面上に設けられ前記係止爪が前記係止爪係合部と係合したときに前記浮き上がり防止部と共に前記一対の挟持部を上下方向に挟持する上下方向挟持部と、前記浮き上がり防止部と上下方向に対向する位置で前記取付面に凹設され前記一対の挟持部の先端を前記取付面より下方に受け入れる受け入れ凹部とを備えることを特徴とするヒューズプラーの保持構造。
【請求項２】
前記ヒューズプラーを前記取付面上に保持したときに、前記一対の挟持部の他端側に連設された把持部と係合し、前記取付面上で前記把持部を前記着脱方向に対して直角な方向に固定する把持部側固定部が、前記取付面上に立設されていることを特徴とする請求項１に記載のヒューズプラーの保持構造。
【発明の詳細な説明】
【０００１】
【発明の属する技術分野】
本発明は、ヒューズボックスに装着されたヒューズをヒューズボックスから引き抜くために用いるヒューズプラーをガタ付かせることなく保持させると共に、容易に着脱できるヒューズプラーの保持構造に関する。
【０００２】
【従来の技術】
従来、例えば自動車に搭載された電気機器に過剰な電流が流れないように、電気回路の途中にはヒューズが介装されている。このヒューズはヒューズボックス内に格納されるが、近年、多数の電気機器が自動車に搭載されるにつれ、ヒューズボックスが次第に大型化する傾向にあった。そこで、ヒューズボックス内に多数のヒューズを密接させて配置できるようにするために、図８に示した形状のヒューズが広く用いられている。
【０００３】
図８に示したヒューズ１は、導電性の金属板を一体に打ち抜き成形した端子２と、この端子２に過剰な電流が流れたときに溶融して破断する破断部を覆う絶縁樹脂製のカバー３とから構成されている。これにより、この種のヒューズ１は、従来の円筒形のヒューズに比較してその厚みを大幅に薄くすることができ、ヒューズボックス内に極めて密接させた状態で格納することができる。
しかしながら、この種のヒューズ１はその厚みが小さいため、このヒューズ１を指先で挟んでヒューズボックスから引き抜くことは容易ではない。
【０００４】
そこで、この種のヒューズ１をヒューズボックスから引き抜くために、ヒューズプラーが用いられる。このヒューズプラーは、一般に絶縁性の樹脂材料から一体に射出成形された治具であり、常時ヒューズボックスに保持され、ヒューズを交換する際に使用できるようになっている。
【０００５】
このようなヒューズプラーをヒューズボックスに保持する際には、ヒューズプラーをガタ付かせることなく、かつ容易に着脱できるように保持しなければならない。そこで、種々の型式のヒューズプラーが提案されているが、特開平８−３１５７１５号公報には、図９に示したようにヒューズプラー４の一端５を取付面６から浮き上がるように保持することにより、ヒューズプラー４を容易に取り外すことができるように改良したヒューズプラーの保持構造が記載されている。
【０００６】
【発明が解決しようとする課題】
しかしながら、上述した特開平８−３１５７１５号公報に記載されたヒューズプラーの保持構造では、ヒューズプラーを容易にヒューズボックスから取り外すことができるが、ヒューズプラー４の一端５と取付面６との間に隙間Ｓを設けると、この隙間Ｓに他の電線が引っ掛かって、ヒューズプラー４を脱落させる心配がある。また、ヒューズプラー４をその全体にわたって保持する構造でないため、ヒューズプラー４を確実に保持できず、ガタ付きが生じる心配がある。
【０００７】
本発明の目的は、上述した従来技術が有する問題点を解消することにあり、ヒューズプラーをガタ付かせることなく保持できるばかりでなく、容易に脱着できるヒューズプラーの保持構造を提供することにある。
【０００８】
【課題を解決するための手段】
本発明に係わる上記課題は、ヒューズを挟持する一対の挟持部を有したヒューズプラーを前記一対の挟持部が共に取付面に接触する状態に保持するヒューズプラーの保持構造であって、
前記ヒューズプラーが前記取付面上に保持されたときに前記一対の挟持部によって挟持されて前記ヒューズプラーを前記取付面上に位置決めすると共に、前記取付面上に立設され前記ヒューズプラーを着脱方向に案内する位置決め案内部と、前記位置決め案内部に連設され前記ヒューズプラーを上下方向に係合して前記ヒューズプラーの前記取付面からの浮き上がりを防止する浮き上がり防止部と、前記ヒューズプラーを前記位置決め案内部に沿わせて前記着脱方向前方に変位させると前記一対の挟持部の先端に設けられたヒューズ係止用の係止爪と係合すると共に、前記取付面上に立設され前記ヒューズプラーを前記着脱方向に固定する係止爪係合部と、前記取付面上に設けられ前記係止爪が前記係止爪係合部と係合したときに前記浮き上がり防止部と共に前記一対の挟持部を上下方向に挟持する上下方向挟持部と、前記浮き上がり防止部と上下方向に対向する位置で前記取付面に凹設され前記一対の挟持部の先端を前記取付面より下方に受け入れる受け入れ凹部とを備えることを特徴とするヒューズプラーの保持構造によって解決することができる。
【０００９】
好ましくは、前記ヒューズプラーを前記取付面上に保持したときに、前記一対の挟持部の他端側に連設された把持部と係合し、前記取付面上で前記把持部を前記着脱方向に対して直角な方向に固定する把持部側固定部が、前記取付面上に立設されていることによって解決することができる。
【００１０】
上記構成のヒューズプラーの保持構造においては、ヒューズプラーを保持する際に、ヒューズプラーの一対の挟持部により位置決め案内部を挟持しながら、一対の挟持部の先端を浮き上がり防止部と受け入れ凹部との間に挿入する。このとき、取付面に受け入れ凹部を凹設したことにより、浮き上がり防止部と取付面との間の隙間が上下方向に充分に広げられているので、一対の挟持部の先端を両者の間に容易に挿入することができる。
【００１１】
次いで、ヒューズプラーの一対の挟持部により位置決め案内部を挟持した状態で、ヒューズプラーを位置決め案内部に沿わせて着脱方向の前方にさらに変位させると、一対の挟持部の先端に設けられたヒューズ係止用の係止爪が、係止爪係合部に係合して、ヒューズプラーを着脱方向に固定することができる。
同時に、ヒューズプラーの一対の挟持部が、浮き上がり防止部と上下方向挟持部とによって上下方向に挟持されるので、ヒューズプラーを取付面上で上下方向にガタ付かせることなく確実に保持することができる。
さらに、ヒューズプラーの一対の挟持部の後端側に連設した把持部が、取付面上に立設した把持部側固定部に係合するので、ヒューズプラーをより一層確実に保持することができる。
【００１２】
一方、ヒューズプラーを取り外す際には、一対の把持部を指で挟むことにより一対の挟持部を互いに離間させ、係止爪と係止爪係合部との係合を解除した状態で、ヒューズプラーを着脱方向の後方に変位させる。次いで、把持部が取付面から離反するように持ち上げると、一対の挟持部の先端の下部が受け入れ凹部内に入り込むので、ヒューズプラーを浮き上がり防止部と取付面との間の隙間から容易に取り外すことができる。
【００１３】
【発明の実施の形態】
以下、本発明のヒューズプラーの保持構造を図１乃至図７に基づいて詳細に説明する。図１は本発明のヒューズプラーの保持構造を示す全体斜視図、図２は図１におけるヒューズプラーの保持構造の平面図、図３は図１におけるヒューズプラー保持構造の側面図、図４は図３におけるＡ−Ａ断面図、図５は浮き上がり防止部と受け容れ凹部との間にヒューズプラーの一端側を挿入した状態を示す側面図、図６はヒューズプラーの係止爪を係止爪固定部に係合させる前の状態を示す側面図、図７は図１におけるヒューズプラーを保持した状態を示す平面図である。
図１に示すように本実施形態のヒューズプラーの保持構造１００は、ヒューズプラー１０を取付面２０上に、ガタ付きを生じさせることなく、かつ容易に着脱できるように保持するためのものである。
【００１４】
ヒューズプラー１０は、ヒューズをヒューズボックスから抜き取るために用いるもので、互いに対向する一対の挟持部１１、１１が円弧形状の弾性連結部１２によって連結されている。また、挟持部１１の先端には、ヒューズのカバーを係止するための一対の係止爪１３、１３が設けられている。
【００１５】
また、一対の挟持部１１、１１の他端側には、一対の把持部１４、１４がそれぞれ連設されている。これにより、作業者が一対の把持部１４、１４を指で挟んで互いに接近させると、一対の挟持部１１、１１を離反させることができる。一方、作業者が把持部１４、１４から指を放した状態では、一対の挟持部１１、１１は、弾性連結部１２が有する弾性力により互いに接近する方向に付勢される。さらに、一対の挟持部１１、１１の内側壁面には、後述する位置決め案内部３０を挟持する補強リブ１５、１５が設けられている。
【００１６】
前記取付面２０は、図示されていないヒューズボックスの上側壁面の一部であり、その表面上には、ヒューズプラー１０を保持するための位置決め案内部３０、浮き上がり防止部４０、係止爪係合部５０、上下方向挟持部６０、把持部側固定部７０、受け入れ凹部８０の各部が設けられている。
【００１７】
前記位置決め案内部３０は、ヒューズプラー１０を取付面２０上に位置決めして固定するためのもので、図２中矢印Ｂで示したヒューズプラー１０を着脱する方向に延びる取付面２０上に垂設された略矩形状の中央案内板３１と、この中央案内板３１の両側面に対して所定の間隔を保って平行に延びる一対の案内板３２、３３とを有している。これにより、ヒューズプラー１０の一対の挟持部１１、１１の先端を一対の案内板３２、３３の間に挿入すると、ヒューズプラー１０はセンタリングされ、一対の挟持部１１、１１が中央案内板３１を容易に挟持できるように位置決めされる。
【００１８】
また、ヒューズプラー１０を取付面２０上に保持した状態では、図７に示したように、ヒューズプラー１０の補強リブ１５、１５が中央案内板３１を挟持するので、ヒューズプラー１０を取付面２０上に確実に位置決めして固定することができる。
さらに、中央案内板３１は、ヒューズプラー１０を着脱方向に変位させる際に、ヒューズプラー１０を案内する役割も果たしている。
【００１９】
前記浮き上がり防止部４０は、ヒューズプラー１０が取付面２０から浮き上がることを防止するためのもので、中央案内板３１の両側面の上端部にそれぞれ凸設された略台形状の係合突起４１、４２とされている。
また、係合突起４１、４２の着脱方向には、傾斜面４３、４４が設けられ、ヒューズプラー１０の着脱を容易にしている。そして、ヒューズプラー１０を保持した状態では、傾斜面４３、４４が互いに交わって形成される下向きの稜線４５が、ヒューズプラー１０の一対の挟持部１１、１１の上端面に当接し、ヒューズプラー１０が取付面２０から浮き上がらないように抑え付ける役割を果たしている。
【００２０】
前記係止爪係合部５０は、ヒューズプラー１０の係止爪１３、１３と係合し、ヒューズプラー１０を着脱方向に固定するためのもので、中央案内板３１の着脱方向の前方側に取付面２０に対して一体に垂設された断面略六角形状の柱５１である。そして、柱５１の着脱方向の後方側には傾斜面５２が形成され、ヒューズプラー１０の取り付けを容易にしている。一方、柱５１の着脱方向の前方側の端面５３はヒューズプラー１０の着脱方向に対して垂直に延び、図７に示したようにヒューズプラー１０の係止爪１３、１３と係合するようになっている。
【００２１】
前記上下方向挟持部６０は、浮き上がり防止部４０と共にヒューズプラー１０を上下方向に挟持し、ヒューズプラー１０をガタ付かせることなく保持するためのもので、取付面２０上に凸設され、ヒューズプラー１０の着脱方向に対して直角な方向に延びる断面台形状の凸部６１とされている。
この凸部６１は、ヒューズプラー１０の係止爪１３、１３が係止爪係合部５０と係合したときに一対の挟持部１１、１１の先端部下側に位置するように、前後方向の位置が定められている。また、凸部６１の着脱方向の後方側には傾斜面６２が形成され、ヒューズプラー１０の取り付けを容易にしている。また、凸部６１の上面６３は、一対の挟持部１１、１１の先端部の下面に当接するようになっている。
【００２２】
前記把持部側固定部７０は、ヒューズプラー１０の把持部１４、１４が左右方向に変位しないように固定するためのもので、取付面２０上に凸設された係合突起７１である。この係合突起７１は、ヒューズプラー１０を保持したときに、一対の把持部１４、１４の間に位置するように設定されている。また、この係合突起７１は、ヒューズプラー１０の着脱方向の変位を許容すると共に、ヒューズプラー１０の把持部１４、１４が取付面２０から上方に離反することも許容している。これにより、この把持部側固定部７０が、ヒューズプラー１０の着脱の妨げとなることはない。
【００２３】
前記受け入れ凹部８０は、ヒューズプラー１０の先端部分が取付面２０よりも下方に変位することを許容するためのもので、前記浮き上がり防止部４０と取付面２０との間の隙間を広げることにより、ヒューズプラー１０の着脱を容易にする役割を果たしている。そして、受け入れ凹部８０は、浮き上がり防止部４０と上下方向に対向する位置で取付面２０に貫設された一対の貫通孔８１、８２から構成されている。これらの貫通孔８１、８２は、取付面２０を形成するヒューズボックスを樹脂材料から射出成形する際に、浮き上がり防止部４０を形成する金型が貫通する孔とすることができる。
【００２４】
次に、上述した構成の本実施形態のヒューズプラーの保持構造１００の作用について、図５乃至図７を参照して説明する。
本実施形態のヒューズプラーの保持構造１００によってヒューズプラー１０を保持する際には、ヒューズプラー１０の一対の挟持部１１、１１により中央案内板３１の着脱方向の後端部を挟持すると共に、図５に示したように一対の挟持部１１、１１の先端部分を浮き上がり防止部４０の下側に挿入する。このとき、取付面２０には受け入れ凹部８０が凹設されているので、浮き上がり防止部４０と取付面２０との間の隙間は充分に広くなっている。これにより、一対の挟持部１１、１１の先端部分を浮き上がり防止部４０の下側に容易に挿入することができる。
【００２５】
その後、図６に示すようにヒューズプラー１０の把持部１４、１４を取付面２０に密着させた状態で、ヒューズプラー１０を中央案内板３１に沿わせて着脱方向前方に変位させると、図７に示すようにヒューズプラー１０の係止爪１３、１３が係止爪係合部５０に係合する。これにより、ヒューズプラー１０は着脱方向に固定される。
【００２６】
このとき、ヒューズプラー１０は、その補強リブ１５、１５が中央案内板３１を挟持するとともに、その把持部１４、１４が把持部側固定部７０と係合し、かつ一対の挟持部１１、１１が浮き上がり防止部４０と上下方向挟持部６０とによって上下方向に挟持される。これにより、ヒューズプラー１０は取付面２０上に、着脱方向並びに着脱方向に直角な方向および上下方向にガタ付きを生じることなく確実に保持される。
【００２７】
一方、ヒューズプラー１０を取り外す際には、ヒューズプラー１０の把持部１４、１４を指で挟んで互いに接近させることにより係止爪１３、１３を互いに離反させ、係止爪１３、１３と係止爪係合部５０との係合を解除した状態で、ヒューズプラー１０を着脱方向の後方に変位させる。その後、把持部１４、１４を持ち上げると、一対の挟持部１１、１１の先端部下側が受け入れ凹部８０内に入り込むので、ヒューズプラー１０を浮き上がり防止部４０と取付面２０との間の隙間から容易に取り出すことができる。
【００２８】
すなわち、本実施形態のヒューズプラーの保持構造１００においては、ヒューズプラー１０の一対の挟持部１１、１１が中央案内板３１を挟持すると共に、ヒューズプラーの把持部１４、１４が把持部側固定部７０と係合するので、ヒューズプラー１０を取付面２０上に確実に位置決めして保持することができる。
また、ヒューズプラー１０が浮き上がり防止部４０と上下方向挟持部６０とで上下方向に挟持されると共に、係止爪係合部５０にヒューズプラー１０の係止爪１３、１３を係合させるので、ヒューズプラー１０を上下方向および着脱方向にガタ付かせることなく、確実に保持することができる。
【００２９】
一方、取付面２０に受け入れ凹部８０を凹設し、浮き上がり防止部４０と取付面２０との間の隙間を広げたので、一対の挟持部１１、１１先端部を浮き上がり防止部４０の下側に容易に挿入され、若しくは容易に取り出すことができるから、ヒューズプラー１０の着脱を容易に行うことができる。
そして、本実施形態のヒューズプラーの保持構造１００によれば、ヒューズプラー１０を取付面２０に密着させて保持することができるから、ヒューズプラー１０と取付面２０との間の隙間に他の配線が入り込み、ヒューズプラー１０が取付面２０から脱落するのを確実に防止できる。
【００３０】
なお、本発明のヒューズプラーの保持構造は上述した実施形態に限定されるものではなく、種々の変更が可能であることは言うまでもない。
例えば、上述した実施形態においては、浮き上がり防止部４０を中央案内板３１の上端部に凸設しているが、ヒューズプラー１０と上下方向に係合可能である限り、浮き上がり防止部４０の位置は上下方向に適宜選択することができる。
また、本実施形態においては、ヒューズプラー１０の一対の挟持部１１、１１の幅が一対の把持部１４、１４の幅より狭いため、取付面２０上に凸設した上下方向挟持部６０と浮き上がり防止部４０とによりヒューズプラー１０を上下方向に挟持しているが、ヒューズプラー１０の幅がその全長にわたって一定であるならば、上下方向挟持部６０を取付面２０自体とすることができる。
【００３１】
【発明の効果】
以上説明したように本発明のヒューズプラーの保持構造においては、ヒューズプラーを取付面上に位置決めすると共に、ヒューズプラーを着脱方向に案内する位置決め案内部と、ヒューズプラーを上下方向に係合してヒューズプラーの取付面からの浮き上がりを防止する浮き上がり防止部と、ヒューズ係止用の係止爪と係合すると共にヒューズプラーを着脱方向に固定する係止爪係合部と、浮き上がり防止部と共に一対の挟持部を上下方向に挟持する上下方向挟持部と、一対の挟持部の先端を取付面より下方に受け入れる受け入れ凹部とを備えている。
また、好ましくは、把持部と係合して取付面上で把持部を着脱方向に対して直角な方向に固定する把持部側固定部が、取付面上に立設されている。
【００３２】
したがって、ヒューズプラーの一対の挟持部が位置決め案内部を挟持すると共に、ヒューズプラーの把持部が把持部側固定部と係合するので、ヒューズプラーを取付面上に確実に位置決めして保持することができる。
また、ヒューズプラーが浮き上がり防止部と上下方向挟持部とで上下方向に挟持されると共に、係止爪係合部にヒューズプラーの係止爪を係合させるので、ヒューズプラーを上下方向および着脱方向にガタ付かせることなく、確実に保持することができる。
【００３３】
一方、取付面に受け入れ凹部が凹設され、浮き上がり防止部と取付面との間の隙間を広げたので、ヒューズプラーの先端部分を浮き上がり防止部の下側に容易に挿入し若しくは容易に取り外すことができるから、ヒューズプラーの着脱を容易に行うことができる。
したがって、ヒューズプラーを取付面に密着させて保持することができるから、ヒューズプラーと取付面との間に他の配線が入り込み、ヒューズプラーが取付面から外れるようなことを確実に防止することができる。よって、ヒューズプラーをガタ付かせることなく保持できるばかりでなく、容易に着脱することができる。
【図面の簡単な説明】
【図１】本発明に係るヒューズプラーの保持構造を示す斜視図である。
【図２】図１における平面図である。
【図３】図１における側面図である。
【図４】図３におけるＡ−Ａ断面図である。
【図５】図１における浮き上がり防止部と受け容れ凹部との間にヒューズプラーの一端側を挿入した状態を示す側面図である。
【図６】図５におけるヒューズプラーの係止爪を係止爪固定部に係合させる前の状態を示す側面図である。
【図７】図６におけるヒューズプラーを保持した状態を示す平面図である。
【図８】ヒューズの斜視図である。
【図９】従来のヒューズプラーの保持構造を示す側面図である。
【符号の説明】
１０  ヒューズプラー
１１  挟持部
１２  弾性連結部
１３  係止爪
１４  把持部
１５  補強リブ
２０  取付面
３０  位置決め案内部
４０  浮き上がり防止部
５０  係止爪係合部
６０  上下方向挟持部
７０  把持部側係合部
８０  受け入れ凹部
１００  ヒューズプラー保持構造
【図１】
0003622884.tif 000002
【図２】
0003622884.tif 000003
【図３】
0003622884.tif 000004
【図４】
0003622884.tif 000005
【図５】
0003622884.tif 000006
【図６】
0003622884.tif 000007
【図７】
0003622884.tif 000008
【図８】
0003622884.tif 000009
【図９】
0003622884.tif 000010